(57)【要約】【課題】ホログラム加工の応用として偽造防止として潜像を造るのでなく、特殊表面光沢を有する画像・模様・メッセージを表現するものである。このホログラム模様を形成する方法として、これまでのスクリーン印刷、凹版印刷でなく、オフセット印刷でしかもオフセット印刷の一工程にて印刷物およびその製造方法を提供することを目的としている。【解決手段】基材の上にオフセット印刷による万線状の撥液性の下刷り印刷層を設け、該下刷り印刷層の上にＵＶ硬化型クリアーインキをオーバーコートすると該クリアーインキがはじかれ、万線を形成する。はじかれた部分はマット調となり、万線は蒲鉾状のインキレンズを形成するために得られた印刷物は傾けることなく、どの角度からも画像・紋様・メッセージを視認できるという視覚効果を有する。【選択図】図４
2007229967.tif 000002
【特許請求の範囲】
【請求項１】
無印刷または図柄印刷層を設けてなる基材の上に、オフセット印刷による万線状の撥液性の下刷り印刷層を部分的又は全面に設け、更にコーターにてクリアーインキでオーバーコートした印刷物において、該クリアーインキが撥液性の下刷り印刷層にはじかれて万線を形成することによりホログラム調の画像・紋様を有することを特徴とする印刷物。
【請求項２】
無印刷または図柄印刷層を設けてなる基材の上に、オフセット印刷による万線状の撥液性の下刷り印刷層を部分的又は全面に設け、更にコーターにてクリアーインキでオーバーコートした印刷物において、該クリアーインキが撥液性の下刷り印刷層にはじかれて背景画像としての万線を形成し、且つ該背景画像としての万線と配列方向の角度又はピッチが異なる万線を設けることによりホログラム調のメッセージ画像を有することを特徴とする印刷物。
【請求項３】
前記クリアーインキによる万線を設けるに際し、万線状の撥液性の下刷り印刷層を部分的又は全面に設けることで、該クリアーインキをはじき、万線を形成する。形成された万線間のはじかれた部分がマット調になることで、いかなる角度からも万線模様が視認できることを特徴とする請求項１又は２のいずれかに記載した印刷物。
【請求項４】
前記背景画像の万線の配列方向と前記メッセージ画像の万線の配列方向の角度が１０°から９０°であることを特徴とする請求項２又は３のいずれかに記載の印刷物。
【請求項５】
前記万線のピッチが０．０１〜１．０ｍｍ、好ましくは０．０５〜０．５ｍｍであることを特徴とする請求項１〜４のいずれか１項に記載の印刷物。
【請求項６】
前記万線及び下刷り印刷層が、ＵＶ硬化型クリアーインキであることを特徴とする請求項１〜５のいずれか１項に記載の印刷物。
【請求項７】
基材の上にオフセット印刷による図柄印刷層が設けられ、該図柄印刷層の表面上に背景画像及び／又はメッセージ画像がオフセット印刷でクリアーインキの万線からなる印刷物において、該背景画像及び／又は該メッセージ画像を形成する万線と同調したり同調しない網点模様や図柄を設けてなる図柄印刷層を有することを特徴とする印刷物。
【請求項８】
基材の上にオフセット印刷によりベタまたは図柄印刷層を設ける工程、該印刷層の上に部分的または全面にオフセット印刷により万線状の撥液性下刷り印刷層を設ける工程、前記図柄印刷層及び前記下刷り印刷層の上にコーターによりＵＶ硬化型クリアーインキ層を設ける工程、該ＵＶ硬化型クリアーインキ層を設けた直後に形成された万線をＵＶ照射により硬化させる工程を、オフセット印刷機による一工程で設けることを特徴とする印刷物の製造方法。
【発明の詳細な説明】
【技術分野】
【０００１】
本発明は、基材にエンボス加工及び金属箔の添付することなく、基材にオフセット印刷により万線を形成することにより、ホログラム調の特殊表面光沢の紋様及びメッセージを表現する印刷物及びその製造方法に関するものである。
【背景技術】
【０００２】
従来よりホログラムの応用として、銀行券、株券、カード等の偽造、変造を防止するために、印刷物を傾けて観察することにより潜像画像を認識できるようにして真偽判定に用いられてきた。このホログラム模様を形成する方法として、盛り上がりのある線画、即ち、万線なる手法が用いられてきたが、この盛り上がりのある線画・万線を形成する方法としては、例えば特許文献１、特許文献２ではスクリーン印刷が提案されている。
【０００３】
また、ホログラム模様を形成する別な方法としてエンボス加工があるが、メッセージ（複雑な模様）を表現するのが難しく、且つエンボス加工の圧力により基材が変形してしまい用途が限られていた。また、エンボス加工と同じくマット感を出す方法として、印刷による方法も特許文献３、特許文献４に提案されてきたが、単にマットとグロス調となるだけで、紋様とかメッセージを表現することはできなかった。
【０００４】
【特許文献１】特開２００４−２０９６４６号公報
【特許文献２】特開２００５−２８０１１４号公報
【特許文献３】特開２００３−１８１３７０号公報
【特許文献４】特公平０７−０３７１７２号公報
【発明の開示】
【発明が解決しようとする課題】
【０００５】
本発明は、ホログラム加工の応用として偽造防止として潜像を造るのでなく、特殊表面光沢を有する画像・模様・メッセージを表現する印刷物およびその製造法に関するものである。このホログラム模様を形成する方法として、万線の手法を使用するが、これまでのスクリーン印刷、凹版印刷でなく、オフセット印刷でしかもオフセット印刷の一工程にて印刷物およびその製造方法を提供することを目的としている。
【課題を解決するための手段】
【０００６】
上記課題を解決するため、本発明は以下の（１）〜（８）の構成を採る。
（１）無印刷または図柄印刷層を設けてなる基材の上に、オフセット印刷による万線状の撥液性の下刷り印刷層を部分的又は全面に設け、更にコーターにてクリアーインキでオーバーコートした印刷物において、該クリアーインキが撥液性の下刷り印刷層にはじかれて万線を形成することによりホログラム調の画像・紋様を有することを特徴とする印刷物。
【０００７】
（２）無印刷または図柄印刷層を設けてなる基材の上に、オフセット印刷による万線状の撥液性の下刷り印刷層を部分的又は全面に設け、更にコーターにてクリアーインキでオーバーコートした印刷物において、該クリアーインキが撥液性の下刷り印刷層にはじかれて背景画像としての万線を形成し、且つ該背景画像としての万線と異なる万線を設けることによりホログラム調のメッセージ画像を有することを特徴とする印刷物。
【０００８】
（３）前記クリアーインキによる万線を設けるに際し、万線状の撥液性の下刷り印刷層を部分的又は全面に設けることで、該クリアーインキをはじき、万線を形成する。形成された万線間のはじかれた部分がマット調になることで、いかなる角度からも万線模様が視認できることを特徴とする（１）項又は（２）項のいずれかに記載した印刷物。
【０００９】
（４）前記背景画像の万線の配列方向と前記メッセージ画像の万線の配列方向の角度が１０°から９０°であることを特徴とする（２）項又は（３）項のいずれかに記載の印刷物。
【００１０】
（５）前記万線のピッチが０．０１〜１．０ｍｍ、好ましくは０．０５〜０．５ｍｍであることを特徴とする（１）〜（４）項のいずれか１項に記載の印刷物。
【００１１】
（６）前記万線及び下刷り印刷層が、ＵＶ硬化型クリアーインキであることを特徴とする（１）〜（５）項のいずれか１項に記載の印刷物。
【００１２】
（７）基材の上にオフセット印刷による図柄印刷層が設けられ、該図柄印刷層の表面上に背景画像及び／又はメッセージ画像がオフセット印刷でクリアーインキの万線からなる印刷物において、該背景画像及び／又は該メッセージ画像を形成する万線と同調したり同調しない網点模様や図柄を設けてなる図柄印刷層を有することを特徴とする印刷物。
【００１３】
（８）基材の上にオフセット印刷によりベタまたは図柄印刷層を設ける工程、該印刷層の上に部分的または全面にオフセット印刷により万線状の撥液性下刷り印刷層を設ける工程、前記図柄印刷層及び前記下刷り印刷層の上にコーターによりＵＶ硬化型クリアーインキ層を設ける工程、該ＵＶ硬化型クリアーインキ層を設けた直後に形成された万線をＵＶ照射により硬化させる工程を、オフセット印刷機による一工程で設けることを特徴とする印刷物の製造方法。
【発明の効果】
【００１４】
本発明により、基材の上にオフセット印刷による万線状の撥液性の下刷り印刷層を部分的又は全面に設け、該下刷り印刷層の上にＵＶ硬化型クリアーインキをオーバーコートすると該クリアーインキがはじかれ、万線を形成する。はじかれた部分はマット調となり、万線は蒲鉾状のインキレンズを形成するために得られた印刷物は傾けることなく、どの角度からも画像・紋様・メッセージを視認できるという視覚効果を有する。
【発明を実施するための最良の形態】
【００１５】
以下に、本発明に係る印刷物とその製造方法について詳しく説明する。
本発明が対象とする印刷物とは、特殊表面光沢を利用した視覚効果を有したパッケージやカタログ、ポスターなど印刷物全般に利用できる。勿論、偽造・変造防止の用途にも使える。
【００１６】
一般に、印刷物の光沢を向上させ、また印刷物の皮膜を保護するために、印刷物をオーバープリントニス（以下、ＯＰニスということもある。）で被覆することが行われている。即ち、基材に印刷インキ各色を印刷した後に、その印刷物上に透明なＯＰニスをオフセット印刷機の最終胴にて印刷している。この場合、ＯＰニスは均一に印刷しているので、見た目には均一な光沢を有し、特異な視覚効果はない。
【００１７】
本発明は、通常のオフセット印刷機に於いて、所定の図柄を印刷した後、最終胴にて、ＯＰニスをはじく撥液性のインキを万線状に下刷り印刷する。続いてオフセット印刷機に付設されているコーターにてＵＶ硬化型クリアーインキ（ＯＰニス）にてオーバーコートを行う。
このオーバーコートされたクリアーインキは、撥液性の下刷り印刷層のインキのある部分ははじかれてマット調となる。撥液性の下刷り印刷層のインキがない部分には、はじかれたクリアーインキが集まり万線を形成する。形成された万線は蒲鉾状のインキレンズの形となっている。続いて、オフセット印刷機に付設されたＵＶ照射により、下刷り印刷層およびクリアーインキが硬化されて万線が保持される。図４に形成された万線の断面の模式図を示す。
ここで撥液性のインキとは、オーバーコートするクリアーインキをはじくものであれば良い。例えば、クリアーインキが親水性の場合、下刷りの撥液性インキを撥水性にすれば良いし、クリアーインキが親油性の場合、下刷りの撥液性インキは撥油性のものにすれば良い。
【００１８】
得られた印刷物は万線のレンズ効果と万線間のマット調により、特に傾けたりしなくてもどの角度から画像・紋様・メッセージを視認できるものである。この視覚効果は着色された図柄が万線を形成される前に印刷されているとより一層映えたものとなるが、印刷図柄がない無印刷の白紙に万線を形成した時にも視認できる。
更に、万線を形成するクリアーインキに着色物質等を入れなくとも、透明なままでも視覚効果は得られるが、パール顔料、金属粉顔料、ガラスフレーク、着色顔料、染料、蛍光物質等を混入すると、カラフルな視覚効果が得られる。
【００１９】
万線の視覚効果は、万線を形成したクリアーインキの断面が蒲鉾状に盛り上がった形状が肝要であり、従来は凹版印刷やスクリーン印刷などのインキが厚盛りできる印刷法が使われてきた。本発明では、オフセット印刷＋コーターで可能とした。特に、オフセット印刷（平版印刷）＋フレキソ印刷（凸版印刷）コーター＋ＵＶ照射装置の仕様を一台の印刷機にセットすると、汎用の設備でワンパスでの製造を可能とした。勿論、ワンパス（一工程）でなくとも、例えばコーター塗布とＵＶ照射を別途設け、２パス・オフラインでの製造も可能である。
【００２０】
偽造防止等で潜像を作る場合には、背景画像とメッセージ画像のそれぞれ異なった万線を形成する必要があるが、本発明の特徴として、万線間をマット調としているので、背景画像のみであらゆる角度から視認できる紋様をつくることができる。勿論、背景画像とメッセージ画像と分けることで、ロゴ、品名などのメッセージを明確に表現できる。
【００２１】
背景画像とメッセージ画像に分ける場合には、それぞれの万線の配列方向の角度を１０°から９０°とすることでメッセージが明確となる。
万線のピッチは０．０１〜１．０ｍｍ、好ましくは０．０５〜０．５ｍｍが好ましく、これより、ピッチが大きくても小さくてもメッセージはわかりずらくなる。
【００２２】
また、背景画像とメッセージ画像の配列角度は同じでも、それぞれの万線のピッチを異ならせることでもメッセージは明確となる。更に、背景画像とメッセージ画像の配列角度とピッチを共に異ならせることで、より一層の視覚効果が得られる。また、曲線形にすることも可能である。
【００２３】
本発明は、万線は蒲鉾状のインキレンズを形成することを特徴としているが、そのレンズの下に、万線の配列角度と同調したり同調しないストライプ印刷の網点模様や図柄の印刷層を設けたり、基材地合に施しているとモアレ模様が得ることができ、一層のデザイン効果が発揮される。
特に、オフセット印刷に使用するＰＳ版にて撥液性下刷りインキ版に万線パターンを作製しているので、印刷図柄との見当精度が極めてよく、打って付けである。
【００２４】
本発明に使用する基材は、紙及び板紙のほか、アルミ貼合紙、プラスチックシート、金属などオフセット印刷可能なシート素材であれば制約はない。
【実施例】
【００２５】
以下、本発明を実施例に従って説明する。
【００２６】
＜実施例１＞
図１の☆模様は、０．３（０．１、０．２）ｍｍピッチの線画で形成している。背景には同じく０．３（０．１、０．２）ｍｍピッチで形成された線画像があり、互いの万線の角度は垂直に切れておりこの画像が下刷りニス（撥液インキ部）の印刷される絵柄となる。
基材に下刷りニス（撥液インキ部）のパターン印刷後に、UVクリアーがベタ印刷されると下刷りニスのある部分はマット調になり、下引きニスの無い部分にははじかれたUVクリアーが集まり蒲鉾状のインキレンズが形成された。異なる角度で形成された万線は特殊な視覚効果がある。
【００２７】
＜実施例２＞
また、図２では基材に背景万線に対して15°のストライプ図柄を予め印刷しておくと万線のレンズとの同調によるモアレが発生しホログラム調の効果が得られた。
【００２８】
＜実施例３＞
図３の曲万線模様は、０．３ｍｍピッチの万線で同心円状に形成された。直線で形成される万線とは異なる光の屈折が感じられる視覚効果がある。
【００２９】
上記実施例１、２、３で作成された印刷物は、その表面性の視覚効果だけではなく十分な皮膜強度と折り曲げに対する柔軟性をもっており紙器箱としての使用に耐えうる。
下刷りニス（撥液性インキ）には、大日本インキ化学工業株式会社製（ダイキュアハイブライトメジュームＥＭ）、ＵＶクリアーには大日本インキ化学工業株式会社製（ダイキュアクリアーＵＶ１４１２ＥＭ）を使用して印刷した。
【００３０】
＜比較例１＞
万線を使用しない場合の表現はマットとグロスの使い分けとなり、規則的な光学効果を得にくい。また、レンズに規則性がないため基材の図柄印刷との間でホログラム調の効果が得られない。
【産業上の利用可能性】
【００３１】
本発明は、特殊表面光沢を利用した視覚効果を有したパッケージやカタログ、ポスターなど印刷物全般に利用できる。更に、モアレ模様など精度がいる印刷物への展開が期待される。
【図面の簡単な説明】
【００３２】
【図１】背景画像の万線に対して配列角度９０°のメッセージ画像の万線の図である。
【図２】万線に対して予め配列角度１５°のストライプ図柄印刷をすることにより得られるモアレ模様の例を示す図である。
【図３】背景画像に対して同心円状の万線を設けた例の図である。
【図４】形成された万線の断面の模式図である。
【符号の説明】
【００３３】
１：基材
２：図柄
３：下刷り（撥液性インキ）
４：オーバーコート（ＵＶクリアー）
【図１】
2007229967.tif 000003
【図２】
2007229967.tif 000004
【図３】
2007229967.tif 000005
【図４】
2007229967.tif 000006